(57)【要約】【課題】パチンコ遊技機は外枠、内枠、前面扉の３要部で構成されていて、その施錠構成は前面扉と内枠、内枠と外枠との間の２段構成になっている、又中間の内枠の構造も樹脂材が主構造体として使用される等のため遊技機全体の密閉構造の剛性に問題があり、遊技機防犯上の問題点となっている、本考案はその改善の為施錠部の剛性向上を図る為のものである。【解決手段】前面扉３にフック部５を取り付け、外枠１に設けた摺動案内部７によって案内され上下に摺動する摺動部材４に係合突起６を設けて、前面扉に取り付けたフック部と外枠側に取り付けた係合突起とが直接掛かりあう施錠部を設け、且係合作動力に電動モータの駆動力を使用するなど施錠部の締結力の向上を図ることを特徴とする。【選択図】図２
0003137523.tif 000002
【実用新案登録請求の範囲】
【請求項１】
外枠、内枠、前面扉の３要部で構成されるパチンコ遊技機において、前面扉に取り付けた係合部を備えたフック部と、外枠に設けた摺動案内部に案内されて摺動する係合突起を備えた摺動部材とで構成される事を特徴とする、パチンコ遊技機の施錠装置。
【請求項２】
請求項１の係合突起を備えた摺動部材に替えて、外枠に取り付けたヒンジピンに支持されて回動する懸け金と、前面枠に取り付けたフック部とで構成される事を特徴とする、パチンコ遊技機の施錠装置。
【請求項２】
請求項１における摺動部材や請求項２における懸け金を駆動する為に駆動モータ及び、回転力を推力に変える為のレバー部を取り付けて成る、パチンコ遊技機の施錠装置。
【考案の詳細な説明】
【技術分野】
【０００１】  本考案はパチンコ遊技機の施錠部の構造に関する物である。
【背景技術】
【０００２】  パチンコ遊技機は外枠、内枠、前面扉の３要部で構成されており、施錠部は前面扉と内枠、内枠と外枠との間の２段構成になっている。  又内枠や前面扉の構成材には主として樹脂材が採用されているので遊技機本体の剛性はあまり優れたものとは云えない構成になっている、為にその構成体に生ずる隙間を利用して遊技機に悪い操作を行う犯罪が行われ易くのその事は遊技機の製造者や遊技場の経営者にとって大きな負担となっている。【０００３】  又一方パチンコ遊技機の傾向として遊技機の魅力を増す為に遊技盤面を広くする方向にありその為に側面に取り付けられる施錠部の使用空間は来るだけ少なくしたいと言う傾向にあり、その事は先記の防犯上剛性を向上させたい事とのあい反する要素として遊技機製造者の苦労しているところである。【０００４】  その施錠部の構造の従来技術例として下記の特許文献１，２，３の様な例があるがそれらはいずれも内枠に施錠部の主構造体を取り付けて一方で前面扉と内枠との係合施錠部を設け、その反対側に内枠と外枠との係合施錠部を設けている。中でも特許文献例１ではその構造体の断面形状に扁平な□形構造を採用してその施錠部の剛性向上を図ると共にその使用空間の減少を図る等の工夫がなされている。
【特許文献１】  特開２００７−８２９７２号公報
【特許文献２】  特開２００７−１１１２６８号公報
【特許文献３】  特開２００７−１１７３８０号公報
【考案の開示】
【考案が解決しようとする課題】
【０００５】  本考案は上記のように外枠、内枠、前面扉の３主要素で構成されているパチンコ遊技機の施錠部に防犯性向上の為の剛性の向上と遊技機の魅力向上の為の施錠部のスリム化と云う合い反する要求の解決を図ろうとするものである。
【課題を解決する為の手段】
【０００６】  先記のように従来のパチンコ遊技機の施錠部は、前面扉は内枠に係合固定し、内枠は外枠に係合固定すると云う、前面扉と外枠との間に２段の施錠部が介在する構成である為と中間の内枠の構造も樹脂材を主材とした構成になっている為、前面扉と外枠の間では隙間がつくり易い構成なので、前面扉と外枠を直接施錠する構造を採用する事により、その間の施錠剛性の強化を図るものである。
【考案の効果】
【０００７】  上記のようにパチンコ遊技機の前面扉を直接剛性の高い外枠に係合施錠すれば前面扉と外枠の間に悪い操作をする為の隙間をつくる事は困難になる事は明らかである。  尚その場合前面扉と内枠、内枠と外枠の係合固定の要求に対しては別途手段を講ずればよく、この場合本考案を採用していれば、その係合固定手段には防犯上の施錠構造及び剛性を考慮しなくてもよいと云う効果も期待出来ることと成る。
【考案を実施するための最良の形態】
【０００８】  本考案を実施する為の最良の形態を図１、２，３、５を参照にしながら説明する。  図２は図１のパチンコ遊技機正面略図におけるＡ−Ａ断面矢視図であるが同図において、外枠１に設けた摺動案内部７によって上下方向に摺動案内される摺動部材４を取り付け、図３に見られるようにその摺動部材の上方と下方の２箇所に係合突起６を設け、他方前面扉側の枠構成基材部には、その２箇所の係合突起がそれぞれ懸かり合う相当位置に係合部１１を備えたフック部５を取り付けておく。  尚フック部５の係合部１１には摺動部材４の係合突起の矢印ロ方向の動きに対してクサビ効果によって矢印イ方向に推力が生ずるような勾配面形状が設けてある。【０００９】  図５は図１の遊技機を裏側から見た背面略図であるが、同図において摺動部材４の下方に金具１０を取り付けその金具には又下方に牽引力が働くスプリング１４が取り付けてある、更にその金具の下面に接触する形にレバー部１３が取り付けてあり、駆動モータ１５の回転力をカム１２を介してそのレバー部で摺動部材４を矢印ロ方向に押し上げる推力が働くように配置取り付けてある。【００１０】  以上の様に構成した本考案の施錠部において、モータの回転は上記カム、レバーを介して摺動部材４を矢印ロ方向に強力に押し上げそしてその摺動部材に設けた係合突起６がフック部５の係合部１１の勾配面に食い込む形で前面扉３を外枠１に矢印イ方向に引きつけることとなる。  尚同駆動モータ１５を逆転させればスプリング１４の牽引力によって摺動部材４は引き下げられ同施錠部の係合関係は開放される事になる。
【実施例】
【００１１】  図４は本考案の他の実施例を示すものであり、図３の係合突起６と摺動部材４に替えて、外枠１にヒンジピン９を取り付けてそれを支点に回動する掛け金８をそれぞれ上下２箇所に取り付けそれを連竿１６で連結して、図３の係合部と同様に掛け金８のフック部の矢印二方向への回転力で前面扉３を直接外枠１に引きつけるように考案したものである。【００１２】  以上の様に本考案によれば前面枠３を直接剛性のある外枠に引き付け施錠することが出来、従来の２段構造の施錠構成に比べてはるかに合成の高い施錠部を得る事が出来る。
【図面の簡単な説明】
【００１３】
【図１】  本考案品の正面図である。
【図２】  図１の考案品Ａ−Ａ断面図である。
【図３】  本考案品Ｂ−Ｂ断面図である。
【図４】  本考案品の他の実施例のＢ−Ｂ断面図である。。
【符号の説明】
【００１４】１      外枠
２      内枠
３      前面扉
４      摺動部材
５      フック部
６      係合突起
７      摺動案内部
８      懸け金
９      ヒンジピン
１０    金具
１１    係合部
１２    カム
１３    レバー部
１４    スプリング
１５    駆動モータ
１６    連竿
【図１】
0003137523.tif 000003
【図２】
0003137523.tif 000004
【図３】
0003137523.tif 000005
【図４】
0003137523.tif 000006
【図５】
0003137523.tif 000007
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
外枠（１）、内枠（２）、前面扉（３）の３要部で構成されるパチンコ遊技機において、前面扉（３）に取り付けた係合部（１１）を備えたフック部（５）に契合するように、外枠（１）に設けた摺動案内部（７）に案内されて摺動する係合突起（６）を備えた摺動部材（４）を取り付けて構成される事を特徴とする、パチンコ遊技機の施錠装置。
【請求項２】
前請求項に記載の係合突起（６）を備えた摺動部材（４）に替えて、外枠（１）に固定したヒンジピン（９）に支持され且連竿（１６）にヒンジピン接続されてその連竿の動きによって回動する懸け金（８）が、前請求項に記載の前面扉（３）に取り付けたフック部（５）に契合する様にしてなる、請求項１に記載のパチンコ遊技機の施錠装置。
【請求項３】
請求項１における摺動部材（４）の下方に、同摺動部材を駆動する為に出力軸にカム（１２）を取り付けた駆動モータ（１５）及び、同カムと同摺動部材に接して駆動力を伝達するために回動するレバー部（１３）を取り付けてなる、請求項１に記載のパチンコ遊技機の施錠装置。
【手続補正２】
【補正対象書類名】明細書
【補正対象項目名】００１３
【補正方法】変更
【補正の内容】
【００１３】
【図１】  本考案品の正面図である。
【図２】  図１の考案品Ａ−Ａ断面図である。
【図３】  本考案品Ｂ−Ｂ断面図である。
【図４】  本考案品の他の実施例のＢ−Ｂ断面図である。
【図５】  本考案品の内部正面図である。